(57)【要約】      （修正有）【課題】隣接するコンクリート構造物の継ぎ目間に設けられる可撓性止水継手の取り付けの作業性、生産性向上を図った可撓性止水継手の取り付け構造を提供する。【解決手段】コンクリート管路の隣接するコンクリート構造物の対向する継ぎ目間に設けられる可撓性止水継手２０と、コンクリート構造物の所定の位置に埋設され、可撓性止水継手をコンクリート構造物に締着固定するねじ穴部が形成されているインサート部材１３と、可撓性止水継手をインサート部材に締着固定するボルト部材２５と、該ボルト部材の頭部と可撓性止水継手との間に設けられている締着板２１とからなり、インサート部材には、コンクリート構造物より所定の長さ分突出するように係合軸部が設けられ、可撓性止水継手には、ボルト部材のねじ軸部を挿通させるとともに係合軸部と係合して可撓性止水継手の位置決めを行う係合穴部が、インサート部材の埋設位置に対応するように形成されている。【選択図】図２
0003168996.tif 000002
【実用新案登録請求の範囲】
【請求項１】
コンクリート構造物を縦列させて構成するコンクリート管路の隣接する前記コンクリート構造物の対向する継ぎ目間に、可撓性を有するように設けられる可撓性止水継手と、
前記コンクリート構造物の所定の位置に、所定の間隔を有するように埋設され、前記可撓性止水継手を前記コンクリート構造物に締着固定するためのねじ穴部が形成されているインサート部材と、
前記インサート部材の前記ねじ穴部にねじ込まれ、前記可撓性止水継手を前記コンクリート構造物に締着固定するためのボルト部材と、
前記ボルト部材の頭部と前記可撓性止水継手との間に設けられ、前記ボルト部材の軸部を挿通させるための挿通穴が形成されている締着板とからなり、
前記インサート部材には、前記コンクリート構造物より所定の長さ分突出するように係合軸部が設けられ、
前記可撓性止水継手には、前記ボルト部材のねじ軸部を挿通させるとともに前記係合軸部と係合し、前記インサート部材に対する前記可撓性止水継手の位置決めを行うための係合穴部が、前記インサート部材の埋設位置に対応するように形成されている
ことを特徴とする可撓性止水継手の取り付け構造。
【請求項２】
請求項１に記載された可撓性止水継手の取り付け構造において、
アンカープレートは、前記コンクリート構造物のコンクリート製構造体に接し、かつ、前記締着板と対向するように設けられており、
前記インサート部材は、前記アンカープレートに固定されている
ことを特徴とする可撓性止水継手の取り付け構造。
【請求項３】
請求項１または２に記載された可撓性止水継手の取り付け構造において、
前記インサート部材は、前記係合軸部が一体に設けられている
ことを特徴とする可撓性止水継手の取り付け構造。
【請求項４】
請求項１または２に記載された可撓性止水継手の取り付け構造において、
前記インサート部材は、前記係合軸部が着脱可能に設けられている
ことを特徴とする可撓性止水継手の取り付け構造。
【考案の詳細な説明】
【技術分野】
【０００１】
本考案は、コンクリート構造物同士の継ぎ目に可撓性止水継手を取り付けるための可撓性止水継手の取り付け構造に関する。さらに詳しくは、隣接するコンクリート構造物を接続するために、コンクリート構造物の継ぎ目間に設けられる可撓性止水継手の取り付けを容易にして作業性向上、生産性向上を図った可撓性止水継手の取り付け構造に関する。
【背景技術】
【０００２】
下水道、共同溝、雨水渠、函渠、開渠等のコンクリート構造物を縦列させて構成するコンクリート管路において、隣接するコンクリート構造物の継ぎ目に可撓性止水継手が設けられている。この可撓性止水継手は止水性が高いだけでなく、可撓性止水継手を所定の間隔で設置することにより、耐震性を得ることができる。
【０００３】
従来の可撓性止水継手は、コンクリートに埋め込まれたアンカーボルト、インサート部材（インサートアンカー）、長ナット等にねじ込まれたねじ部材に、可撓性止水継手、締着板の順に取り付け、ワッシャ、ナットで締着固定するのが一般的であった。また、コーナー部等では、アンカープレートに、ねじ穴部が形成されたインサート部材、長ナットを設置し、ボルト部材を可撓性止水継手、締着板のボルト穴部に挿入するとともにインサート部材、長ナットのねじ穴部にねじ込んで締着固定することがある。
【０００４】
特許文献に基づいて、地下構造物の接続構造に関して説明を行うと、ゴム製で細長帯状の継手で接続し、該継手には長さ方向にそって中央に山形の湾曲部が形成されている地下構造物の継手構造が知られている（例えば、特許文献１参照）。また、地下構造物と、接続すべき地下構造物との間に挟装される挟装部と、地下構造物の内面に固定される縁部とを備えた接続装置が知られている（例えば、特許文献２参照）。
【先行技術文献】
【特許文献】
【０００５】
【特許文献１】特開２００４−８４２０１号公報
【特許文献２】特開平１１−３５０８８８号公報
【考案の概要】
【考案が解決しようとする課題】
【０００６】
しかしながら、可撓性止水継手を仮止めすることが困難な場合、可撓性止水継手のボルト穴部の中心、締着板のボルト穴部の中心と、インサート部材のねじ穴部の中心とを一致させることに時間を要することがある。可撓性止水継手のボルト穴部の中心と、締着板のボルト穴部の中心、インサート部材のねじ穴部の中心とが一致していないと確実に締着できないことが生じるおそれがある。また、ボルト部材の締着による取り付け作業時に、可撓性止水継手が移動してしまうおそれがある。例えば、図５に示すように、可撓性止水継手１２０のボルト穴部１２０ｃの中心線と、インサート部材１１３のねじ穴部１１３ｂの中心線Ｃ１とが一致していない状態で、ボルト部材１２５を無理に差し込んでねじ込もうとすると、ボルト部材１２５が、インサート部材１１３の中心線Ｃ１に対して傾いた状態でねじ込まれるおそれがある。
【０００７】
図５は、従来の可撓性止水継手の取り付け構造の問題点を説明するための断面図であり、図５に従ってさらに説明を行う。側面視略Ｌ字形状をしているアンカープレート１１２には、インサート部材１１３が溶接等で一体に固定されている。コンクリート構造物１５０のコンクリート製構造体１１１には、インサート部材１１３が埋め込まれている。可撓性止水継手１２０の上部には締着板１２１が設けられている。締着板１２１にはボルト穴部１２１ａが形成されている。可撓性止水継手１２０のボルト穴部１２０ｃの中心線と、インサート部材１１３のねじ穴部１１３ｂの中心線Ｃ１とが一致していないため、ボルト部材１２５のねじ軸部１２５ａの中心線Ｃ２が、インサート部材１１３のねじ穴部１１３ｂの中心線Ｃ１に対して、角度α分傾いてねじ込まれている。このような状態になると、ボルト部材１２５をねじ込むのに大きなトルクが必要となり、確実な締着が行えないおそれがある。最悪の場合には、ねじ込みが途中でできなくなったり、ボルト部材１２５のねじ軸部１２５ａ、インサート部材１１３のねじ穴部１１３ｂ等を損傷させたりするおそれがあるという問題点があった。
【０００８】
そのため、インサート部材１１３のねじ穴部１１３ｂの中心線Ｃ１と、可撓性止水継手１２０のボルト穴部１２０ｃの中心線とを、簡素な構成で容易に一致させることができ、この一致させた状態において可撓性止水継手がインサート部材等に対して移動することなく、ボルト部材による締着固定を行うことができる可撓性止水継手の取り付け構造の開発が要望されている。
【０００９】
本考案は、このような従来の問題点を解決するためになされたもので、次の目的を達成する。
本考案の目的は、可撓性止水継手とインサート部材との容易に位置決めができるとともに、位置決めを行った状態を維持してボルト部材による締着固定が容易に行えるようにした可撓性止水継手の取り付け構造を提供することにある。
【課題を解決するための手段】
【００１０】
本考案は、前記目的を達成するための次の手段を有する。
本考案１の可撓性止水継手の取り付け構造は、
コンクリート構造物を縦列させて構成するコンクリート管路の隣接する前記コンクリート構造物の対向する継ぎ目間に、可撓性を有するように設けられる可撓性止水継手と、前記コンクリート構造物の所定の位置に、所定の間隔を有するように埋設され、前記可撓性止水継手を前記コンクリート構造物に締着固定するためのねじ穴部が形成されているインサート部材と、前記インサート部材の前記ねじ穴部にねじ込まれ、前記可撓性止水継手を前記コンクリート構造物に締着固定するためのボルト部材と、前記ボルト部材の頭部と前記可撓性止水継手との間に設けられ、前記ボルト部材のねじ軸部を挿通させるための挿通穴が形成されている締着板とからなり、前記インサート部材には、前記コンクリート構造物より所定の長さ分突出するように係合軸部が設けられ、前記可撓性止水継手には、前記ボルト部材のねじ軸部を挿通させるとともに前記係合軸部と係合し、前記インサート部材に対する前記可撓性止水継手の位置決めを行うための係合穴部が、前記インサート部材の埋設位置に対応するように形成されていることを特徴とする。
【００１１】
本考案２の可撓性止水継手の取り付け構造は、本考案１において、
アンカープレートは、前記コンクリート構造物のコンクリート製構造体に接し、かつ、前記締着板と対向するように設けられており、前記インサート部材は、前記アンカープレートに固定されていることを特徴とする。
【００１２】
本考案３の可撓性止水継手の取り付け構造は、本考案１または２において、
前記インサート部材は、前記係合軸部が一体に設けられていることを特徴とする。
【００１３】
本考案４の可撓性止水継手の取り付け構造は、本考案１または２において、
前記インサート部材は、前記係合軸部が着脱可能に設けられていることを特徴とする。
【考案の効果】
【００１４】
本考案の可撓性止水継手の取り付け構造は、インサート部材に、可撓性止水継手の係合穴部に係合する係合軸部を設け、係合穴部と係合軸部とを係合させることで、可撓性止水継手とインサート部材とを容易に位置決めできる構造にしている。また、係合穴部と係合軸部との係合による位置決めは、可撓性止水継手の取り付け作業時において、インサート部材及びインサート部材が埋設されたコンクリート構造物に対する可撓性止水継手の移動を防止することができる。そのため、取り付け作業の作業性、生産性を向上させることができる。コンクリート構造物に可撓性止水継手を取り付ける作業は、作業性のよくない環境で行うこと、ねじ込むボルト部材を取り付け面に対して垂直に立てにくい箇所に行うことなど作業条件がよくない場合があるが、そのような条件下でも問題を発生させることがない。
【００１５】
また、ボルト部材のねじ軸部が、インサート部材のねじ穴部に中心線の傾きをもってねじ込まれることが生じないので、ボルト部材、インサート部材のねじ部を損傷するようなことがない。また、インサート部材にボルト部材をねじ込むことに過大なトルクを必要とせず、可撓性止水継手のボルト部材による締め付けトルク管理を容易に行うことができる。
インサート部材の軸体に、係合軸部を形成するための係合部材を着脱可能に設けた構成の可撓性止水継手の取り付け構造は、コンクリート構造物に可撓性止水継手を取り付ける作業の直前に、インサート軸体に係合部材を嵌め込めばよいので、コンクリート構造物の製造、搬送等が容易となり、作業性向上、生産性向上が図れる。
【図面の簡単な説明】
【００１６】
【図１】図１は、本考案の可撓性止水継手の取り付け構造を示す断面図である。
【図２】図２は、可撓性止水継手の取り付け構造における一方の取り付け構造部分を拡大して示した断面図である。
【図３】図３は、インサート部材を示す正面図及び側面図である。
【図４】図４は、インサート部材の他の形態を示す正面図及び側面図である。
【図５】図５は、従来の可撓性止水継手の取り付け構造の問題点を説明するための断面図である。
【考案を実施するための形態】
【００１７】
以下、本考案の可撓性止水継手の取り付け構造の実施の形態を、図１〜図４に基づいて詳細に説明する。
図１は、本考案の可撓性止水継手の取り付け構造を示す断面図、図２は、可撓性止水継手の取り付け構造における一方の取り付け構造部分を拡大して示した断面図である。図３は、インサート部材を示す正面図及び側面図、図４は、インサート部材の他の実施の形態を示す正面図及び側面図である。
【００１８】
本考案の可撓性止水継手の取り付け構造１は、コンクリート構造物を縦列させて構成するコンクリート管路において、隣接するコンクリート構造物同士の継ぎ目に、可撓性を有するように設けられる可撓性止水継手をコンクリート構造物に締着固定するためのものである。図１に示すように、隣接する一方のコンクリート構造物５０と他方のコンクリート構造物５０Ａとの間の継ぎ目に可撓性止水継手（以下、止水継手と記載する）２０が設けられている。
【００１９】
止水継手２０は、一方のコンクリート構造物５０のコンクリート製構造体１１、他方のコンクリート構造物５０Ａのコンクリート製構造体１１Ａに、各々、取り付けられる取り付け部２０ａ、２０ａと、その中間に設けられ、一方のコンクリート構造物５０、他方のコンクリート構造物５０Ａが、相対的に、所定量移動することを許容するための可撓部２０ｂとから形成されている。止水継手２０は、補強繊維２０ｃが内蔵された合成ゴム（例えば、クロロプレン系合成ゴム、エチレンプロピレン系合成ゴム）製、天然ゴム製等のものである。止水継手２０には、止水凸部２０ｄ、２０ｄが形成され、後述するボルト部材２５、ボルト部材２５Ａによる締め付けトルクを所定の値に管理することで確実な止水管理が行えるようにしている。
【００２０】
側面視略Ｌ字形状をしているアンカープレート１２には、インサート部材１３が溶接等で一体に固定されている。アンカープレート１２Ａには、インサート部材１３Ａが溶接等で一体に固定されている。アンカープレート１２、１２Ａ、インサート部材１３、１３Ａは、防錆等のための表面処理がされた鋼材（ＳＳ材）またはステンレス材（ＳＵＳ材）製のものである。図３に示すように、インサート部材１３（１３Ａ）は、本体軸部１３ｃと、本体軸部１３ｃの一端側に本体軸部１３ｃより小径に形成された係合軸部１３ａと、本体軸部１３ｃの他端側に本体軸部１３ｃより大径に形成されたフランジ部１３ｄとが一体に形成されている。一方のコンクリート構造物５０の目地５１、他方のコンクリート構造物５０Ａの目地５１Ａ近傍には、各々凹部５２、５２Ａが設けられている。一方のコンクリート構造物５０の凹部５２には、アンカープレート１２が設けられている。同様に、他方のコンクリート構造物５０Ａの凹部５２Ａには、アンカープレート１２Ａが設けられている。
【００２１】
以下、図２に従って、一方のコンクリート構造物５０側の一方の取り付け構造部１０について説明を行う。すなわち、一方の取り付け構造部１０のアンカープレート１２、インサート部材１３、締着板２１、ボルト部材２５等について説明を行う（図２参照）。なお、可撓性止水継手の取り付け構造１の他方のコンクリート構造物５０Ａ側にもアンカープレート１２Ａ、インサート部材１３Ａ、締着板２１Ａ、ボルト部材２５Ａ等が設けられているが、この構成は一方のコンクリート構造物５０側のアンカープレート１２、インサート部材１３、締着板２１、ボルト部材２５等と同一であるとともに、左右対称に設けられた構成のものであり詳細な説明は省略する。言い換えると、この可撓性止水継手の取り付け構造１は、図１において左右対称に構成されている（図１参照）。
【００２２】
凹部５２には、目地５１から所定量離れた直線上に、所定の間隔毎にインサート部材１３が設けられている。インサート部材１３は、係合軸部１３ａがアンカープレート１２の穴１２ａに嵌め込まれるとともに、本体軸部１３ｃの一方の端部側がアンカープレート１２の他端側の面に溶接等で固定されている。また、インサート部材１３の一方の側には、ねじ穴部１３ｂが形成されている。係合軸部１３ａは、アンカープレート１２の一端側の面より所定の長さ突出している。この突出長さは、止水継手の性能を確実にするために、止水継手の締着時の圧縮量を考慮して決める必要がある。例えば、この係合軸部１３ａの突出長さは、次式に示すような関係になっているとよい。
係合軸部の突出長さ  ＜  〔止水継手の厚さ−止水継手の締着時圧縮量〕
【００２３】
係合軸部１３ａは、止水継手２０に形成された係合穴部２０ｃに嵌め込まれて、インサート部材１３に対して止水継手２０の位置を一致させるとともに、インサート部材１３に対して止水継手２０の位置がずれないようにしている。止水継手２０の係合穴部２０ｃは、インサート部材１３が設けられている位置に対応するように、インサート部材１３の埋設間隔と同一の間隔毎に形成されている。アンカープレート１２、インサート部材１３の本体軸部１３ｃ、及び、フランジ部１３ｄは、コンクリート製構造体１１に埋設されている。
【００２４】
締着板２１は、止水継手２０の取り付け部２０ａを、アンカープレート１２との間に挟んで締着するための部材である。締着板２１には、ボルト部材２５のねじ軸部２５ａを挿通するためのボルト穴部（挿通穴）２１ａがインサート部材１３の埋設間隔と同一の間隔毎に形成されている。ボルト部材２５は、雄ねじが形成されたねじ軸部２５ａと、ボルト頭部とから構成されているものである。ボルト部材２５は、ステンレス材製、防錆等の表面処理がされた鋼材製のものである。ボルト頭部には、ボルト部材２５を回転させるための六角穴が形成されている。六角穴は、六角棒レンチ等工具を介して、ボルト部材２５をねじ込んだり、緩めたりするためのものである。
【００２５】
この実施の形態の可撓性止水継手の取り付け構造１による取り付け方法を説明する。
コンクリート製構造体１１、アンカープレート１２、インサート部材１３が一体に製造された一方のコンクリート構造物５０と、コンクリート製構造体１１Ａ、アンカープレート１２Ａ、インサート部材１３Ａが一体に製造された他方のコンクリート構造物５０Ａとを、接続部分が所定の間隔を有する位置に設置する。
【００２６】
コンクリート製構造体１１とコンクリート製構造体１１Ａとの間に、止水継手２０が設けられる。すなわち、一方のコンクリート構造物５０側では、インサート部材１３の係合軸部１３ａに、止水継手２０の係合穴部２０ｃが係合するように嵌め込む。この係合した状態では、インサート部材１３のねじ穴部１３ｂの中心線と、止水継手２０の係合穴部２０ｃの中心線とは一致、または、ほぼ一致した状態であり、この状態になるとインサート部材１３と止水継手２０との位置がずれることが生じにくい。また、締着板２１を止水継手２０の取り付け部２０ａの上部に配置し、ボルト穴部２１ａ、係合穴部２０ｃにボルト部材２５のねじ軸部２５ａを挿通させた後、ねじ軸部２５ａをねじ穴部１３ｂにねじ込む。言い換えると、インサート部材１３の係合軸部１３ａと、止水継手２０の係合穴部２０ｃとを係合させることで、インサート部材１３に対して、止水継手２０の位置がずれることがなく、ボルト部材２５をねじ込む作業を容易に行うことができる。
【００２７】
従って、インサート部材と止水継手の位置を合わせて、その合わせた位置がずれないようにしながらボルト部材をねじ込んでいく従来の取り付け構造に比べ、作業性、生産性が大幅に向上する。また、インサート部材１３のねじ穴部１３ｂに、ボルト部材２５のねじ軸部２５ａが傾いてねじ込まれることがないので、ボルト部材１３をねじ込むトルクが大きくならない。従って、止水継手２０に対するボルト部材２５による締め付けトルクの管理がたいへん容易である。同様に、他方のコンクリート構造物５０Ａ側でも、インサート部材１３Ａの係合軸部と、止水継手２０の係合穴部とが係合するように嵌め込むことで、インサート部材１３Ａに対して、止水継手２０の位置がずれることがなく、ボルト部材２５Ａをねじ込む作業を容易に行うことができる。
【００２８】
〔インサート部材の他の形態〕
インサート部材の他の形態について、図４に基づいて説明を行う。
この他の形態のインサート部材１１３は、係合軸部が着脱可能に設けられたものである。言い換えると、係合軸部を形成するための部材がインサート軸体と別体に設けられたものである。このインサート部材１１３は、長ナット１１５のねじ穴部１１５ｂの他端側に六角ボルト１１４がねじ込まれた状態で、長ナット１１５と六角ボルト１１４が溶接等で一体に固定されたインサート軸体と、このインサート軸体に着脱可能に装着される係合部材１１６とからなっている。係合部材１１６の外周部が、止水継手の係合穴部と係合するための係合軸部１１３ａになっている。長ナット１１５の一端側には、係合穴部１１５ａが形成され、この係合穴部１１５ａに、係合部材１１６が着脱可能に装着される。また、長ナット１１５のねじ穴部１１５ｂが、ボルト部材２５をねじ込むためのねじ穴部になる。このインサート軸体がコンクリート製構造体に埋設されたコンクリート構造物は、インサート軸体の端部が、アンカープレートから突出していない。このように構成すると、コンクリート構造物に止水継手を取り付ける作業の直前に、インサート軸体の係合穴部１１５ａに、係合軸部を形成するための係合部材１１６を嵌め込むことでインサート部材を形成すればよいので、コンクリート構造物の製造、搬送等が容易となり、作業性、生産性がさらに向上する。
【００２９】
以上、本考案の実施の形態を説明したが、本考案はこれに限定されるものではない。本考案の、目的、趣旨を逸脱しない範囲内での変更が可能なことはいうまでもない。例えば、ボルト部材は、六角ボルト、六角穴付きボルト、ボタンボルト、低頭ボルト、極低頭ボルトなど、使用する用途に合わせて適宜選択されればよい。また、止水継手は、可撓部がＵ字型のもの、略Ｍ字型のものなど、使用する用途に合わせて適宜選択されればよい。
【符号の説明】
【００３０】
１  …  可撓性止水継手の取り付け構造
１０  …  一方の取り付け構造部
１１、１１Ａ  …  コンクリート製構造体
１２、１２Ａ  …  アンカープレート
１３、１３Ａ、１１３  …  インサート部材
２０  …  可撓性止水継手
２１、２１Ａ  …  締着板
２５、２５Ａ  …  ボルト部材
５０  …  一方のコンクリート構造物
５０Ａ…  他方のコンクリート構造物
【図１】
0003168996.tif 000003
【図２】
0003168996.tif 000004
【図３】
0003168996.tif 000005
【図４】
0003168996.tif 000006
【図５】
0003168996.tif 000007